(57)【要約】  モバイル端末機と、近距離無線通信基盤の中継器を通じて前記モバイル端末機と通信連結されるＰＯＳサポート装置と、を含むことができる。この時、モバイル端末機は、前記中継器を介して近距離無線通信方式によって前記ＰＯＳサポート装置と通信連結され、前記中継器を通じて前記ＰＯＳサポート装置及び通信ネットワーク上のＰＯＳ機能をサポートするサーバーと連動してＰＯＳ機能を実行するオープンソースベースのＰＯＳアプリケーションプログラムモジュールを含むことができる。このようなＰＯＳシステムは、売場や店鋪で製造業者の協力なしに自主的にＰＯＳ応用プログラムを調整してＰＯＳシステムを管理することができ、低コストでＰＯＳシステムを導入し用いることができる。【選択図】図１
2015514276.tif 000002
【特許請求の範囲】
【請求項１】
モバイル端末機と、
近距離無線通信基盤の中継器を通じて前記モバイル端末機と通信接続されるＰＯＳサポート装置とを含み、
前記モバイル端末機は、前記中継器を介して近距離無線通信方式によって前記ＰＯＳサポート装置と通信接続され、前記中継器を通じて前記ＰＯＳサポート装置及び通信ネットワーク上のＰＯＳ機能をサポートするサーバーと連動してＰＯＳ機能を実行するオープンソースベースのＰＯＳアプリケーションプログラムモジュールを含む
ＰＯＳシステム。
【請求項２】
前記ＰＯＳアプリケーションプログラムモジュールは、接続認証情報を利用して前記モバイル端末機と前記中継器との間の通信接続手続を行い、前記モバイル端末機が中継器に通信接続されると、前記接続認証情報を利用して前記中継器を媒介とした前記ＰＯＳサポート装置との通信接続手続を行う請求項１記載のＰＯＳシステム。
【請求項３】
前記中継器は、モバイル端末機から接続要請を受けると、モバイル端末機から接続認証情報を受けてモバイル端末機と接続認証手続を行い、接続認証に成功したモバイル端末機の通信接続を許容する請求項２記載のＰＯＳシステム。
【請求項４】
前記接続認証情報は、ＭＡＣ／ＩＰアドレス、モバイル端末機のシリアルナンバー、ＰＯＳアプリケーションプログラムモジュールの固有識別コード及びログイン情報の中の少なくとも一つ以上を含む請求項２または３記載のＰＯＳシステム。
【請求項５】
前記ＰＯＳアプリケーションプログラムモジュールは、前記中継器を通じてＰＯＳサポート装置と連動する場合、前記ＰＯＳサポート装置に命令または制御関連データを送信する時、前記ＰＯＳサポート装置から受けた接続端末機識別用認証キーを含ませて送信する請求項１記載のＰＯＳシステム。
【請求項６】
前記ＰＯＳアプリケーションプログラムモジュール及び前記ＰＯＳサポート装置は、それぞれ前記中継器を通じてデータを送受信する時、データの保安のために送受信データを暗号化及び復号化する請求項１記載のＰＯＳシステム。
【請求項７】
中継器と近距離通信方式で通信を行う近距離無線通信部と、
通信接続を許容／遮断するためのモバイル端末機の接続認証情報が登録されているユーザーリストを保存している認証情報保存部と、
前記近距離無線通信部を通じてモバイル端末機から接続要請を受けると、モバイル端末機から接続認証情報を受けて、その提供された接続認証情報が前記ユーザーリストに登録されているか否かによって接続認証成功有無を判断して、接続認証に成功したモバイル端末機で通信接続を許容する接続処理部と、
前記接続処理部によってモバイル端末機が接続認証に成功すると、接続端末機識別用認証キーを生成し、その生成された接続端末機識別用認証キーを前記近距離無線通信部を通じて接続認証に成功したモバイル端末機に提供する認証キー生成部と、
前記認証キー生成部を通じて生成された接続端末機識別用認証キーを、前記認証情報保存部に保存されているユーザーリストに登録されている接続認証情報の中で接続認証に成功したモバイル端末機の接続認証情報にマッチングさせて保存する認証キー保存部と、
モバイル端末機から受信される命令または制御関連データに基づいてＰＯＳ周辺機器を駆動させる機器駆動部と、
前記近距離無線通信部を通じてモバイル端末機からの命令または制御関連データを受信すると、受信したデータに前記認証キー保存部に保存されている認証キーが含まれているか否かを確認し、その確認の結果、含まれている場合のみモバイル端末機から受信した命令または制御関連データを前記機器駆動部に伝達するデータ処理部とを含むＰＯＳサポート装置。
【請求項８】
ＰＯＳ周辺機器と前記機器駆動部との間の通信を接続する機器連結用インターフェース部をさらに含む請求項７記載のＰＯＳサポート装置。
【請求項９】
モバイル端末機が中継器を介してＰＯＳサポート装置に通信接続する通信接続過程と、
前記ＰＯＳサポート装置で接続端末機識別用認証キーを生成して前記モバイル端末機に提供する過程と、
前記モバイル端末機で前記接続端末機識別認証キーを含む命令または制御関連データを前記ＰＯＳサポート装置に送信する過程と、
前記ＰＯＳサポート装置で前記接続端末機識別認証キーが既保存されている認証キーであるかを確認し、確認の結果、既保存されている認証キーに確認されると、前記命令または制御関連データに基づいてＰＯＳ周辺機器を駆動させる過程と、
その駆動結果を応答データとして前記モバイル端末機に送信する過程と、を含むＰＯＳシステムの駆動方法。
【請求項１０】
前記通信接続過程は、前記モバイル端末機で中継器に通信接続を要請する過程と、
前記中継器で前記モバイル端末機と接続認証手続を行って、接続認証に成功すると、前記モバイル端末機の通信接続を許容する過程と、
前記モバイル端末機で通信接続を許容した前記中継器を通じてＰＯＳサポート装置に通信接続を要請する過程と、
前記ＰＯＳサポート装置で前記モバイル端末機と接続認証手続を行って、接続認証に成功すると、前記モバイル端末機の通信接続を許容する過程と、を含む請求項９記載のＰＯＳシステムの駆動方法。
【発明の詳細な説明】
【技術分野】
【０００１】
本発明の実施例はＰＯＳシステム及びその駆動方法に関するものである。
【背景技術】
【０００２】
一般に、ＰＯＳシステム（Ｐｏｉｎｔ  ｏｆ  Ｓａｌｅｓ  Ｓｙｓｔｅｍ）は、金銭出納登録機能とコンピューター機能を保有した販売時点管理システムのことを意味する。一例として、韓国公開特許公報第２００４−００８７５８６号には一般的なＰＯＳシステムが開示されている。
【０００３】
このようなＰＯＳシステムを用いると、商品の販売流れを単位品目別に把握することができるとともに、新商品と販促商品の販売傾向及び販売時間帯、売上げ不振商品、類似品や競争商品との販売傾向などを詳細に把握することができる。これにより、販売価格と販売量との相関関係、主要攻略対象、広告計画などのマーケティング戦略を効果的に樹立することができる。また在庫・発注・配送などの商品管理体系を単純化・標準化させてコスト低減に寄与することができる。
【０００４】
そのため、現在では商品を販売して利得を得る大部分の店鋪や売場でＰＯＳシステムを採用している。
【０００５】
通常、このようなＰＯＳシステムは、商品管理及び販売管理などを担当するデータベースサーバーと、カード決済処理を担当するＶＡＮ（Ｖａｌｕｅ  Ａｄｄ  Ｎｅｔｗｏｒｋ：付加価値通信網）業者のサーバーのようなＰＯＳ機能をサポートするサーバーと連動して多様なＰＯＳ機能を実行するＰＯＳ端末機とを含んでなる。ここで、ＰＯＳ機能は、商品管理、決済処理、販売金額精算処理及び店鋪や売場経営に必要な各種情報と資料を収集・処理する機能などを全部含む。
【０００６】
一般的なＰＯＳ端末機の構成を説明すると、単一の本体にＰＯＳ周辺機器及びＰＯＳコンピューターが相互間にケーブルを介して通信接続されて一体型に構成される。ここでＰＯＳ周辺機器は金庫、ＭＳＲ（Ｍａｇｎｅｔｉｃ  Ｓｔｒｉｐｅ  Ｒｅａｄｅｒ）カードリーダー器、カード決済署名パッド、バーコードまたはＱＲコード（登録商標）などの商品識別コードをスキャンするコードスキャナ、勘定書／領収証プリンターなどを含む。同時に、ＰＯＳコンピューターは個人用コンピューターの周辺装置としてよく使われるキーボード、モニター及びマウスなどのＵＩ（Ｕｓｅｒ  Ｉｎｔｅｒｆａｃｅ）を備える。そして、Ｗｉｎｄｏｗｓ（登録商標）ベースのオペレーションシステムをサポートし、ＰＯＳ周辺機器、ＵＩ、ＰＯＳ機能をサポートするサーバーと連動してＰＯＳ機能を実行するＰＯＳアプリケーションプログラムがインストールされている。
【先行技術文献】
【特許文献】
【０００７】
【特許文献１】韓国公開特許出願公報第２００４−００８７５８６号明細書
【発明の概要】
【発明が解決しようとする課題】
【０００８】
しかし、従来のＰＯＳシステムでは、特定製造業者が開発して著作権を独占しており、開発難易度の高いクローズドソース（Ｃｌｏｓｅｄ  Ｓｏｕｒｃｅ）ベースのＰＯＳアプリケーションプログラムがインストールされているＰＯＳ端末機を用いている。そのため、ＰＯＳアプリケーションプログラムの異常発生によるＰＯＳ端末機の誤作動時には、特定製造業者の協力なしでは復旧することができない。そのため、ＰＯＳシステムを管理するにおいて、不便であるとともに、特定製造業者の協力に対する代価として費用が発生するという問題点がある。
【０００９】
また、従来のＰＯＳシステムを構成するＰＯＳ端末機は、ＰＯＳコンピューターと全てのＰＯＳ周辺機器が結合された一体型に製造されており、高価な消費者価格で発売される。そのため、ＰＯＳシステムを取り入れようとする売場や店鋪の店主立場では、必要のないＰＯＳ周辺機器が搭載されていても高額を支払ってＰＯＳ端末機を購入しなければならないという問題点がある。
【００１０】
本発明によれば、オープンソースベースのＰＯＳアプリケーションプログラムモジュールが搭載されているモバイル端末機を無線通信環境で特定ＰＯＳ周辺機器と連動させてＰＯＳ機能を実行することができるようにするＰＯＳシステム及びその駆動方法を提供することができる。
【課題を解決するための手段】
【００１１】
本発明にかかるＰＯＳシステムは、モバイル端末機と、近距離無線通信ベースの中継器を通じて上記モバイル端末機と通信接続されるＰＯＳサポート装置とを含み、上記モバイル端末機は、上記中継器を介して近距離無線通信方式によって上記ＰＯＳサポート装置と通信接続され、上記中継器を通じて上記ＰＯＳサポート装置及び通信ネットワーク上のＰＯＳ機能をサポートするサーバーと連動してＰＯＳ機能を実行する、オープンソースベースのＰＯＳアプリケーションプログラムモジュールを含んでなることが好ましい。
【００１２】
また、上記の構成にあっては、ＰＯＳサポート装置は、中継器と近距離通信方式で通信を行う近距離無線通信部と、通信の接続を許容／遮断するためのモバイル端末機の接続認証情報が登録されているユーザーリストを保存している認証情報保存部と、上記近距離無線通信部を通じてモバイル端末機から接続要請を受けると、モバイル端末機から接続認証情報を受けて、その提供された接続認証情報が上記ユーザーリストに登録されている否かによって接続認証成功有無を判断して、接続認証に成功したモバイル端末機で通信接続を許容する接続処理部と、上記接続処理部によってモバイル端末機が接続認証に成功すれば、接続端末機識別用認証キーを生成し、その生成された接続端末機識別用認証キーを、上記近距離無線通信部を通じて接続認証に成功したモバイル端末機に提供する認証キー生成部と、上記認証キー生成部を通じて生成された接続端末機識別用認証キーを、上記認証情報保存部に保存されているユーザーリストに登録されている接続認証情報の中で接続認証に成功したモバイル端末機の接続認証情報にマッチングさせて保存する認証キー保存部と、モバイル端末機から受信される命令または制御関連データに基づいてＰＯＳ周辺機器を駆動させる機器駆動部と、上記近距離無線通信部を通じてモバイル端末機からの命令または制御関連データを受信すると、受信したデータに上記認証キー保存部に保存されている認証キーが含まれているか否かを確認し、その確認の結果、含まれている場合のみ、モバイル端末機から受信した命令または制御関連データを上記機器駆動部に伝達するデータ処理部とを含んでなることが好ましい。
【００１３】
本発明にかかるＰＯＳシステムの駆動方法は、モバイル端末機が中継器を介してＰＯＳサポート装置に通信接続する通信接続過程と、上記ＰＯＳサポート装置で接続端末機識別用認証キーを生成して上記モバイル端末機に提供する過程と、上記モバイル端末機で上記接続端末機識別認証キーを含む命令または制御関連データを上記ＰＯＳサポート装置に送信する過程と、上記ＰＯＳサポート装置で上記接続端末機識別認証キーが既保存されている認証キーであるのかを確認し、確認の結果、既保存されている認証キーと確認される場合、上記命令または制御関連データに基づいてＰＯＳ周辺機器を駆動させる過程と、その駆動結果を応答データとして上記モバイル端末機に送信する過程とを含んでなることが好ましい。
【発明の効果】
【００１４】
本発明にかかるＰＯＳシステム及びその駆動方法によれば、オープンソースベースのＰＯＳアプリケーションプログラムモジュールが搭載されているモバイル端末機を無線通信環境で特定ＰＯＳ周辺機器と連動させてＰＯＳ機能を実行することによって、売場や店鋪で製造者の協力なしに自主的にＰＯＳアプリケーションプログラムを調整してＰＯＳシステムを管理することができ、低コストでＰＯＳシステムを利用することができる。
【図面の簡単な説明】
【００１５】
【図１】一実施例によるＰＯＳシステムの構成を概略的に示した図面である。
【図２】図１におけるＰＯＳサポート装置の構成を概略的に示した図面である。
【図３】一実施例によるＰＯＳシステムの駆動方法を説明するための流れ図である。
【発明を実施するための形態】
【００１６】
以下では、添付した図面を参照して本発明の好ましい実施例について詳しく説明する。
【００１７】
図１は一実施例によるＰＯＳシステムの構成を概略的に示した図面である。
【００１８】
図１によれば、一実施例によるＰＯＳシステムは、モバイル端末機１０、ＰＯＳサポート装置２０及び中継器３０を含むことができる。
【００１９】
ここで、モバイル端末機１０は、中継器３０を介してモバイル端末機１０とＰＯＳサポート装置２０との間の近距離無線通信を連結するオープンソースベースのＰＯＳアプリケーションプログラムモジュール１２を搭載する。このようなモバイル端末機１０は、オープンソースベースアプリケーションなどのようなＰＯＳアプリケーションプログラムモジュール１２を搭載することができる近距離無線通信ベースの知能型端末機で、スマートフォン、タブレットＰＣ、スマートパッド及びラップトップ（Ｌａｐ−ｔｏｐ）などで構成することができる。
【００２０】
ＰＯＳアプリケーションプログラムモジュール１２は、接続認証情報を利用してモバイル端末機１０と中継器３０との間の通信接続手続を行う。その後、ＰＯＳアプリケーションプログラムモジュール１２は、モバイル端末機１０が中継器３０に通信接続されると、接続認証情報を利用して中継器３０を媒介としたＰＯＳサポート装置２０との通信接続手続を行う。
【００２１】
ここで、接続認証情報は、ＭＡＣ／ＩＰアドレス、モバイル端末機１０のシリアルナンバー、ＰＯＳアプリケーションプログラムモジュール１２の固有識別コード及びログイン情報の中の少なくとも一つ以上を含む。ここで、ＭＡＣ／ＩＰアドレスはＰＯＳアプリケーションプログラムモジュール１２がモバイル端末機１０に搭載されたウェブブラウザーとの連動を通じてインターネットに接続して獲得した固定ＭＡＣ／ＩＰアドレスからなることができる。そして、ログイン情報はＰＯＳアプリケーションプログラムモジュール１２がモバイル端末機１０に搭載されたＵＩを通じて使用者から入力されたＩＤ及びパスワードなどからなることができる。
【００２２】
また、ＰＯＳアプリケーションプログラムモジュール１２は、モバイル端末機１０とＰＯＳサポート装置２０との間の中継器３０を媒介に通信が接続されることによって、中継器３０を通じてＰＯＳサポート装置２０と連動して、また中継器３０を通じて通信ネットワーク上のＰＯＳ機能をサポートするサーバーと連動して、ＰＯＳ機能を実行する。この時、通信ネットワークは、例えば、イーサネット（登録商標）（Ｅｔｈｅｒｎｅｔ（登録商標））、インターネット及びイントラネット（Ｉｎｔｒａｎｅｔ）などを含むことができる。
【００２３】
また、ＰＯＳアプリケーションプログラムモジュール１２は、中継器３０を通じてＰＯＳサポート装置２０と連動する場合、ＰＯＳサポート装置２０に命令または制御関連データを送信し、その応答データを受信するデータ送受信手続を行う。この時、ＰＯＳアプリケーションプログラムモジュール１２は送信データにＰＯＳサポート装置２０から提供された接続端末機識別用認証キーを含ませて送信することが好ましい。前述した、命令または制御関連データはプリント命令、カードリーディング命令、電子タグリーディング命令または特定周辺機器制御命令などを含むことができる。そして、応答データはカードリーディング情報、電子タグリーディング情報または命令／制御処理結果情報（プリント完了など）などを含むことができる。
【００２４】
また、ＰＯＳアプリケーションプログラムモジュール１２は、中継器３０を通じてＰＯＳサポート装置２０との間でデータを送受信する時、データの保全のためにＡＥＳまたは３−ＤＥＳなどを用いて送受信データを暗号化及び復号化することができる。この時、送受信データは、例えば、ＳＴＸ（Ｓｔａｒｔ  ｏｆ  Ｔｅｘｔ）、命令、データ長（Ｌｅｎｇｔｈ）、暗号化されたデータ及びＥＴＸ（Ｅｎｄ  ｏｆ  Ｔｅｘｔ）領域などを含むパッケージ構造で構成されることができる。
【００２５】
一方、ＰＯＳサポート装置２０は、中継器３０を通じてモバイル端末機１０に搭載されたＰＯＳアプリケーションプログラムモジュール１２と連動してＰＯＳ機能を実行するＰＯＳ周辺機器とモバイル端末機１０の間の通信を接続する。ここで、ＰＯＳ周辺機器は、金庫、ＭＳＲカードリーダー、カード決済署名パッド、バーコードまたはＱＲコード（登録商標）などの商品識別コードをスキャンするコードスキャナ、商品／カードに内装されたＩＣチップ／電子タグをリーディングする非接触式近距離通信（Ｎｅａｒ  Ｆｉｅｌｄ  Ｃｏｍｍｕｎｉｃａｔｉｏｎ、ＮＦＣ）ベースのリーダー、勘定書／領収証プリンターなどを含むことができる。
【００２６】
図２は、図１においてＰＯＳサポート装置の構成を概略的に示した図面である。
【００２７】
図２によれば、ＰＯＳサポート装置２０は、近距離無線通信部２１、認証情報保存部２２、接続処理部２３、認証キー生成部２４、認証キー保存部２５、データ処理部２６、機器駆動部２７、及び電源供給部２８などを含んで構成されることができる。このような近距離無線通信部２１、認証情報保存部２２、接続処理部２３、認証キー生成部２４、認証キー保存部２５、データ処理部２６、機器駆動部２７、及び電源供給部２８は、一部のＰＯＳ周辺機器とともにＰＯＳサポート装置２０の本体に全部設置及び搭載されることができる。この時、一部のＰＯＳ周辺機器はＭＳＲカードリーダー及びＩＣチップ／電子タグをリーディングする非接触式近距離通信ベースのリーダー、勘定書／領収証プリンターなどを含むことができる。
【００２８】
近距離無線通信部２１は中継器３０と近距離無線通信基盤の通信を行う。
【００２９】
前述した近距離無線通信部２１は、超広帯域無線通信（ＵＷＢ）モジュール、無線ＬＡＮ（ＷＬＡＮ）モジュール、ワイマックス（ＷｉＭＡＸ）モジュール、赤外線通信（ＩＲ）モジュール、ＲＦＩＤモジュール、ブルートゥース（Ｂｌｕｅｔｏｏｔｈ（登録商標））モジュール、ジグビー（Ｚｉｇｂｅｅ（登録商標））モジュール、ワイファイ（ＷＩＦＩ）モジュールなどで具現することができる。
【００３０】
認証情報保存部２２は、通信接続を許容／遮断するためのモバイル端末機１０の接続認証情報が登録されているユーザーリストを保存する。このような認証情報保存部２２は、近距離無線通信部２１、中継器３０及び通信ネットワークを通じてユーザーリストを保有している特定サーバーからユーザーリストを受けたり保存したり、既に保存されているユーザーリストをアップデートすることができる。
【００３１】
接続処理部２３は、近距離無線通信部２１を通じてモバイル端末機１０から接続要請を受けると、モバイル端末機１０と接続認証手続を行う。この時、接続処理部２３はモバイル端末機１０との接続認証手続を行う際、モバイル端末機１０に接続認証情報を要請し、モバイル端末機１０から接続認証情報を受け取る。そして、その提供された接続認証情報が認証情報保存部２２に保存されているユーザーリストに登録されているか否かによって、モバイル端末機１０の接続認証成功有無を判断する。接続処理部２３は判断の結果、接続認証に成功したモバイル端末機１０の通信接続を許容する。
【００３２】
認証キー生成部２４は、接続処理部２３によってモバイル端末機１０が接続認証に成功すると、接続端末機識別用認証キーを生成し、その生成された接続端末機識別用認証キーを、近距離無線通信部２１を通じて接続認証に成功したモバイル端末機１０に提供する。
【００３３】
認証キー保存部２５は、認証キー生成部２４を通じて生成された接続端末機識別用認証キーを認証情報保存部２２に保存されているユーザーリストに登録されている接続認証情報の中で接続認証に成功したモバイル端末機１０の接続認証情報にマッチングさせて保存する。
【００３４】
機器駆動部２７は、モバイル端末機１０から受信される命令または制御関連データに基づいてＰＯＳ周辺機器を駆動させる。
【００３５】
データ処理部２６は、近距離無線通信部２１を通じてモバイル端末機１０からの命令または制御関連データを受信すると、受信したデータに認証キー保存部２５に保存されている認証キーが含まれているか否かを確認し、その確認の結果、含まれている場合のみ、モバイル端末機１０から受信した命令または制御関連データを機器駆動部２７に伝達する。
【００３６】
また、データ処理部２６は、機器駆動部２７でモバイル端末機１０から受信された命令または制御関連データに基づいてＰＯＳ周辺機器を駆動した結果を、モバイル端末機１０からの命令または制御関連データ受信に対する応答データとして近距離無線通信部２１を通じてモバイル端末機１０に送信する。
【００３７】
また、データ処理部２６は、近距離無線通信部２１を通じてモバイル端末機１０とデータを送受信する時、データの保全のためにＡＥＳまたは３−ＤＥＳなどを用いて送受信データを暗号化及び復号化する。
【００３８】
電源供給部２８は、近距離無線通信部２１、認証情報保存部２２、接続処理部２３、認証キー生成部２４、認証キー保存部２５、データ処理部２６及び機器駆動部２７に作動電源を供給する。
【００３９】
また、ＰＯＳサポート装置２０は、機器連結用インターフェース部２９をさらに含むことができる。例えば、機器連結用インターフェース部２９は、ＰＯＳサポート装置２０の本体にインストール及び搭載された一部のＰＯＳ周辺機器以外のＰＯＳ周辺機器と機器駆動部２７との間の通信を接続する複数ＵＳＢポート及びＲＳ２３２Ｃポートなどを含むことができる。また、電源供給部２８から供給される電源を、ＵＳＢケーブルを通じて接続されるモバイル端末機１０に伝達する充電用ＵＳＢポートなどをさらに含むことができる。この時、ＰＯＳサポート装置２０は、電源供給部２８から供給される電源をモバイル端末機１０の充電用電源に変換させて、充電用ＵＳＢポートに印加する電源変換部をさらに含むことが好ましい。
【００４０】
一方、中継器３０は、データベースサーバー及び各種サーバーが接続されている通信ネットワークとモバイル端末機１０及びＰＯＳサポート装置２０間の通信を中継する。
【００４１】
このような中継器３０は、超広帯域無線通信（ＵＷＢ）、無線ＬＡＮ（ＷＬＡＮ）、ワイマックス（ＷｉＭＡＸ）、赤外線通信（ＩＲ）、ＲＦＩＤ、ブルートゥース（Ｂｌｕｅｔｏｏｔｈ（登録商標））、ジグビー（Ｚｉｇｂｅｅ（登録商標））、ワイファイ（ＷｉＦｉ）などのような近距離無線通信基盤のＡＰ（Ａｃｃｅｓｓ  Ｐｏｉｎｔ）などを含む。
【００４２】
また、中継器３０は、モバイル端末機１０から接続要請を受けると、モバイル端末機１０と接続認証手続を行う。この時、中継器３０は、モバイル端末機１０との接続認証手続を行う際、モバイル端末機１０に接続認証情報を要請し、モバイル端末機１０から接続認証情報を受け取る。そして、その提供された接続認証情報が内部メモリー領域に保存されているユーザーリストに登録されているか否かによって、モバイル端末機１０の接続認証成功有無を判断し、接続認証に成功したモバイル端末機１０の通信接続を許容する。
【００４３】
前述したような構成において、図３を参照して一実施例によるＰＯＳシステムの駆動方法について説明すれば次の通りである。
【００４４】
まず、モバイル端末機１０から中継器３０に通信接続を要請すると（Ｓ１００）、中継器３０はモバイル端末機１０と接続認証手続を行う（Ｓ１１０）。そして、モバイル端末機１０が接続認証に成功すれば（Ｓ１２０）、モバイル端末機１０の通信接続を許容し（Ｓ１３０）、モバイル端末機１０と通信を連結する（Ｓ１４０）。上述した段階Ｓ１１０を通じる接続認証手続の結果、モバイル端末機１０が接続認証に失敗すると、接続認証に失敗したことをモバイル端末機１０に知らせることが好ましい。
【００４５】
上述した段階Ｓ１４０後に、モバイル端末機１０で中継器３０を通じてＰＯＳサポート装置２０に通信接続を要請すると（Ｓ１５０）、ＰＯＳサポート装置２０はモバイル端末機１０と接続認証手続を行う（Ｓ１６０）。そして、モバイル端末機１０が接続認証に成功すると（Ｓ１７０）、モバイル端末機１０の通信接続を許容し（Ｓ１８０）、モバイル端末機１０と中継器３０を媒介とする通信を接続する（Ｓ１９０）。上述した段階Ｓ１６０を通じる接続認証手続の結果、モバイル端末機１０が接続認証に失敗すると、接続認証に失敗したことをモバイル端末機１０に知らせることが好ましい。
【００４６】
上述した段階Ｓ１９０に続いて、ＰＯＳサポート装置２０は接続端末機識別用認証キーを生成して、上述した段階Ｓ１７０を通じて接続認証に成功したモバイル端末機１０に提供する（Ｓ２００）。
【００４７】
上述した段階Ｓ２００で、接続端末機識別用認証キーは、ＰＯＳサポート装置２０に通信接続された複数のモバイル端末機１０から受信される命令または制御関連データを区分したり、バックドアハッキングなどの異常な手続や方式でＰＯＳサポート装置２０に通信接続されたモバイル端末機１０から受信される命令または制御関連データを区分する役割を果たす。
【００４８】
上述した段階Ｓ２００に続いて、モバイル端末機１０は接続端末機識別用認証キーを含む命令または制御関連データをＰＯＳサポート装置２０に送信する（Ｓ２１０）。
【００４９】
上述した段階Ｓ２１０を通じて命令または制御関連データを受信したＰＯＳサポート装置２０は、受信されたデータに既保存されている認証キーが含まれているか否かを確認し（Ｓ２２０）、その確認の結果、既保存されている認証キーである場合、上述した段階Ｓ２１０を通じて受信されたデータに基づいて、ＰＯＳ周辺機器を駆動させ（Ｓ２３０）、その駆動結果を応答データとしてモバイル端末機１０に送信する（Ｓ２４０）。
【００５０】
即ち、上述した段階Ｓ２００に続いて、モバイル端末機１０に搭載されたＰＯＳアプリケーションプログラムモジュール１２は、上述した段階Ｓ２１０〜Ｓ２４０を通じてＰＯＳサポート装置２０と連動し、中継器３０を通じてＰＯＳ機能をサポートするサーバーが接続されている通信ネットワークに接続して各種ＰＯＳ機能を行うことができる。
【００５１】
以上で説明した本発明は、図面に示した実施例を参照にして説明されたが、これは例示的なものに過ぎず、当該分野において通常の知識を有する者であれば、これから多様な変形及び実施例の変形が可能であることを理解すべきである。しかし、このような変形は本発明の技術的範囲内にあるとすべきである。したがって、本発明の真の技術的範囲は添付された特許請求の範囲の技術的思想によって定められるべきである。
【産業上の利用可能性】
【００５２】
実施例はＰＯＳシステム及びその駆動方法に関する。
【図１】
2015514276.tif 000003
【図２】
2015514276.tif 000004
【図３】
2015514276.tif 000005
【国際調査報告】
2015514276.tif 000006
2015514276.tif 000007
2015514276.tif 000008
2015514276.tif 000009